(57)【要約】【課題】  フレキシブルプリント基板を良好に取り付けることができ、フレキシブルプリント基板の浮き上がりを有効に抑制すること。【解決手段】  固定筒と、固定筒に対して光軸方向に移動可能に設けられた移動筒と、固定筒に保持された駆動ユニット本体と、移動筒の内周面に一端の側が貼着され一端に屈曲部を介して形成された取付面が固定筒の内周面に貼着されたフレキシブルプリント基板と、を備え、固定筒の内周面には、フレキシブルプリント基板の取付面に形成された穴に係合する突起が形成され、駆動ユニット本体には、フレキシブルプリント基板の取付面の貼着された面と反対の面側に位置するアーム部が形成され、突起の高さの寸法を、フレキシブルプリント基板の取付面の貼着された面から、取付面の貼着された面と反対の面側のアーム部の表面までの距離より長くした。【選択図】  図３
2009042635.tif 000002
【特許請求の範囲】
【請求項１】
固定筒と、
前記固定筒に対して光軸方向に移動可能に設けられた移動筒と、
前記固定筒に保持された駆動ユニット本体と、
前記移動筒の内周面に一端の側が貼着され前記一端に屈曲部を介して形成された取付面が前記固定筒の内周面に貼着されたフレキシブルプリント基板と、を備え、
前記固定筒の前記内周面には、前記フレキシブルプリント基板の前記取付面に形成された穴に係合する突起が形成され、
前記駆動ユニット本体には、前記フレキシブルプリント基板の前記取付面の前記貼着された面と反対の面側に位置するアーム部が形成され、
前記突起の高さの寸法を、前記フレキシブルプリント基板の前記取付面の前記貼着された面から、前記取付面の前記貼着された面と反対の面側の前記アーム部の表面までの距離より長くしたことを特徴とするレンズ鏡筒。
【請求項２】
前記突起は特定の間隔をおいて複数が設けられ、
前記アーム部を前記複数の突起の前記特定の間隔の位置に設けられたことを特徴とする請求項１に記載のレンズ鏡筒。
【請求項３】
請求項１または２に記載のレンズ鏡筒と、
前記レンズ鏡筒を装着したカメラ本体と
を有することを特徴とする光学機器。
【発明の詳細な説明】
【技術分野】
【０００１】
本発明は、レンズ鏡筒およびレンズ鏡筒を装着したカメラである光学機器に関する。
【背景技術】
【０００２】
従来、フレキシブルプリント基板の取付構造としては、例えば、特許文献１に開示された構成のものがある。
【０００３】
特許文献１では、フレキシブルプリント基板に設けた係止孔を、ケースに設けた突起に嵌め込むことによりフレキシブルプリント基板を固定している。さらに、ケースにフレキシブルプリント基板の突出部を案内する案内壁部を有しているとともに、突出部の近傍部分が外側面から浮き上がり防止ストッパーを一体的に成形している。
【特許文献１】実開平０６−０４４１９４号公報
【発明の開示】
【発明が解決しようとする課題】
【０００４】
上述したフレキシブルプリント基板の取付構造では以下のような問題があった。
【０００５】
樹脂成形のケースに、フレキシブルプリント基板の固定用の突起と浮き上がり防止用のストッパーとを一体的に成形するため、金型の構造が複雑となり、大幅なコスト増になる。
【０００６】
また、別の取付構造としてフレキシブルプリント基板を固定すべき部材に直接、ビス止めする方法もあるが、部品点数や加工工数が増大する他、組立作業性も悪化する等の問題があった。
【０００７】
そこで、本発明は上記課題を解決するためのもので、フレキシブルプリント基板を良好に取り付けることができ、フレキシブルプリント基板の浮き上がりを有効に抑制することのできるレンズ鏡筒を提供することを目的とする。
【課題を解決するための手段】
【０００８】
本発明では、固定筒と、前記固定筒に対して光軸方向に移動可能に設けられた移動筒と、前記固定筒に保持された駆動ユニット本体と、前記移動筒の内周面に一端の側が貼着され前記一端に屈曲部を介して形成された取付面が前記固定筒の内周面に貼着されたフレキシブルプリント基板と、を備え、前記固定筒の前記内周面には、前記フレキシブルプリント基板の前記取付面に形成された穴に係合する突起が形成され、前記駆動ユニット本体には、前記フレキシブルプリント基板の前記取付面の前記貼着された面と反対の面側に位置するアーム部が形成され、前記複数の突起の高さの寸法を、前記フレキシブルプリント基板の前記取付面の前記貼着された面から、前記取付面の前記貼着された面と反対の面側の前記アーム部の表面までの距離より長くしたことを特徴としている。
【発明の効果】
【０００９】
本発明のレンズ鏡筒および光学機器では、フレキシブルプリント基板を良好に取り付けることができ、フレキシブルプリント基板の浮き上がりを有効に抑制することができる。
【発明を実施するための最良の形態】
【００１０】
以下に、本発明の実施の形態を添付の図面に基づいて詳細に説明する。
【実施例１】
【００１１】
図１は、本発明の実施形態であるフレキシブルプリント基板を有する一眼レフカメラ用交換レンズであるレンズ鏡筒およびレンズ鏡筒を装着したカメラ本体を含む光学機器を示す断面図である。
【００１２】
また図２は、図１のレンズ鏡筒の分解斜視図である。
【００１３】
図１および図２において、このレンズ鏡筒は、物体側から順に、第１〜第４群レンズＬ１〜Ｌ４を有する４群構成のレンズであり、ズーム動作によって全てのレンズＬ１〜Ｌ４が光軸方向に移動し、フォーカス動作によって第１群レンズＬ１が光軸方向に移動する。またズーム動作時には、第２群レンズＬ２と第４群レンズＬ４とが一体的に移動する。また、第２群レンズＬ２の物体側の群である第２ａ群レンズＬ２ａは光軸方向への移動とは別に、像振れ補正動作を行うために光軸直交方向にも移動する。
【００１４】
１００はカメラ本体で、撮像素子１００ａを有する。
【００１５】
１０１はマウントで、カメラ本体１００に取り付けるためのバヨネット部１０１ａを有しており、固定筒１０２に、図示を省略したビスによりビス締めされて固定されている。
【００１６】
固定筒１０２の外周には、スイッチパネル１０３が取り付けられている。スイッチパネル１０３には、スイッチノブ１０４、１０５が設けられており、スイッチノブ１０４、１０５を操作することにより、オートフォーカスや、像振れ補正などの機能の使用可否を選択できる。
【００１７】
１０６はズーム操作環で、固定筒１０２の円筒部１０２ａの外周に嵌合している。また、円筒部１０２ａの外周に不図示のビスにより取り付けられたコロ１０７が、ズーム操作環１０６に設けられた周溝１０６ａに嵌合している。これにより、ズーム操作環１０６は光軸方向に進退不可で、定位置回転のみ許容される。
【００１８】
１０８は光軸方向に移動可能な移動筒としてのメスヘリコイド環で、外周にズーム操作環１０６の内周に設けられたカムフォロワ１０６ｂと係合する凸カム１０８ａが設けられている。また固定筒１０２の円筒部１０２ａの内周に設けられた回転規制溝１０２ｂに係合する突起１０８ｂが設けられている。凸カム１０８ａおよびカムフォロワ１０６ｂ、突起１０８ｂおよび回転規制溝１０２ｂは、１２０°等分で３ヶ所設けられている。
【００１９】
１０９はオスヘリコイド環であり、光軸方向に移動可能な移動筒としてのメスヘリコイド環１０８の内周に設けられたメスヘリコイド１０８ｃに螺合するオスヘリコイド１０９ａを有している。
【００２０】
１１０は、第１レンズ保持枠で、第１レンズ群Ｌ１を保持すると共に、オスヘリコイド環１０９にビス止めされている。
【００２１】
１１１は、ネームプレートで、焦点距離やフィルター径などの仕様が印刷されており、ビス等を隠す役割を果たしている。
【００２２】
１１２は、第４レンズ保持枠で、第４レンズ群Ｌ４を保持すると共に、円筒部１１２ａの外周から放射方向に延出する腕部１１２ｂを有している。この腕部１１２ｂは、固定筒１０２に設けられた直進溝１０２ｃに係合している。また腕部１１２ｂの先端にはコロ１１３がビス等により固定されている。
【００２３】
またコロ１１３は、ズーム操作環１０６の内周に設けられた凹カム１０６ｃに係合しており、公知の偏芯コロとしておけば、孔１０６ｄを通して回転させることで、第４レンズ保持枠１１２の光軸に対する倒れ量を調整することが可能となる。
【００２４】
１１４は、第３レンズ保持枠で、第３レンズ群Ｌ３を保持すると共に、外周にカムフォロワ１１４ａが設けられている。このカムフォロワ１１４ａは、第４レンズ保持枠１１２の円筒部１１２ａ内周に設けられた凸カム１１２ｃと係合している。
【００２５】
１１５は、３群キーで、ズーム操作環１０６の内周にビスで固定されている。また３群キー１１５は、光軸方向に延びるガイド部１１５ａを有しており、このガイド部１１５ａは、第３レンズ保持枠１１４に固定されているガイド受け部材１１６と係合している。
【００２６】
１１７は、圧縮バネで、第４レンズ保持枠１１２に対して、第３レンズ保持枠１１４を光軸方向に付勢している。
【００２７】
１１８は、第２レンズ群Ｌ２を保持する第２群レンズ保持ユニットで、像面側に電磁絞り１１９がビス等で固定され、第２レンズ保持ユニット１１８自体は、第４レンズ保持枠１１２の円筒部１１２ａの先端に固定される。
【００２８】
１２０は駆動ユニット本体としてのフォーカスユニットであり、駆動源であるＤＣモータ１２１の回転を、ギヤ列を介して、オスヘリコイド環１０９に伝達する。フォーカスユニット１２０には、後述するフレキシブルプリント基板の浮き上がりを抑制するためのアーム部１２０ａが形成されている。
【００２９】
１２２は、プリント基板で、第２レンズ群ユニット１１８や電磁絞り１１９、駆動ユニット本体としてのフォーカスユニット１２０と、不図示のフレキシブルプリント基板を介して、電気的に接続され、各種制御を行う。
【００３０】
また、プリント基板１２２には、外周に切り欠き部が複数設けられている。切り欠き部には、弾性部材１２３が弾性変形されながら挿入される。
【００３１】
弾性部材１２３には複数のフランジ部が設けられており、フランジ部がプリント基板１２２を挟み込むよう構成されている。
【００３２】
また、弾性部材１２３には中心に孔部が設けられており、固定筒１０２に設けられた突起部に挿入することにより、プリント基板１２２の回転方向の位置決めがされる。
【００３３】
マウント１０１を固定筒１０２に取り付けることにより、マウント１０１が、弾性部材１２３を圧縮挟持することにより抜け止めとなり、プリント基板１２２の光軸方向の位置が決められる。
【００３４】
１２４は、接点端子ブロックで、マウント１０１に固定されており、プリント基板１２２と可撓性プリント基板を介して接続されていて、カメラ本体との通信および電源の供給を行うために設けられている。
【００３５】
１２５は、ズームゴムリングで、ズーム操作環１０６の外周に取り付けられていて、操作感触を向上させるとともに、周溝１０６ａおよび孔１０６ｄを塞ぐ効果も有する。
【００３６】
１２６は、調整用ワッシャで、バックフォーカス調整により、厚みの異なるワッシャを選択的に使用する。また調整用ワッシャ１２６は、マウント１０１と固定筒１０２の間に挟みこまれ、マウント１０１を固定筒１０２にビス止めすることにより挟持される。
【００３７】
１２７は、移動筒としてのメスヘリコイド環１０８の内周面に貼着され固定筒１０２の内周面に貼着されて固定され、プリント基板１２２に電気的に接続されたフレキシブルプリント基板を示している。フレキシブルプリント基板１２７は、一端の側としてのパターン部１２７ａと屈曲部１２７ｄと固定筒１０２に貼着される取付面１２７ｂとを有している。取付面１２７ｂの幅は、屈曲部１２７ｄの幅より大きい幅（たとえば２倍以上の幅）になっている。また、取付面１２７ｂには、固定筒１０２の貼付面１０２ｄに形成された突起１０２ｅに係合する穴１２７ｃが形成されている。突起１０２ｅ、１０２ｅは光軸に直交する方向に特定の間隔をおいて設けられている。ここで、突起１０２ｅは２箇所に設けているが、１箇所でもよく、さらに３箇所以上の複数箇所に設けても良い。また突起１０２ｅに対応する穴１２７ｃも突起１０２ｅの数にあわせて形成してもよい。
【００３８】
次に、上記構成における、ズーム動作について説明する。
【００３９】
ズーム操作環１０６を回転させると、カムフォロワ１０６ｂ、凸カム１０８ａ、回転規制溝１０２ｂ、突起１０８ｂの相互作用により、メスヘリコイド環１０８が光軸方向に非回転で進退する。これによりオスヘリコイド環１０９（つまりは第１レンズ保持枠１１０）が光軸方向に進退する。同様に、コロ１１３、凹カム１０６ｃ、腕部１１２ｂ、直進溝１０２ｃの相互作用により、第４レンズ保持枠１１２と、それに固定された第２レンズ保持ユニット１１８が光軸方向に非回転で進退する。そして、ズーム操作環１０６に固定された３群キー１１５により、第３レンズ保持枠１１４が回転され、凸カム１１２ｃとカムフォロワ１１４ａの相互作用により、光軸方向に進退する。
【００４０】
フォーカス動作については、上述したように、ＤＣモータ１２１の回転を、オスヘリコイド環１０９にギヤ列を介して伝達することにより、ヘリコイドによって第１レンズ保持枠が、回転しながら光軸方向に進退する。
【００４１】
フレキシブルプリント基板１２７の一端の側としてのパターン部１２７ａは、移動筒としてのメスヘリコイド環１０８の内周面に不図示の両面粘着テープを介して貼付けられる。パターン部１２７ａのパターン面は、オスヘリコイド環１０９に設けられた不図示のブラシが摺動し、これにより第１群レンズＬ１の位置が検出される。
【００４２】
図３は、固定筒１０２および移動筒としてのメスヘリコイド環１０８の内周面にそれぞれ貼付けられたフレキシブルプリント基板１２７を示す断面図である。フレキシブルプリント基板１２７の取付面１２７ｂは固定筒１０２の貼付面１０２ｄに両面粘着テープ１２８により貼付けられており、貼付面積を大きくすることで剥離強度を上げている。さらに、貼付面１０２ｄ（固定筒１０２の内周面）からはフレキシブルプリント基板の抜け止め用の突起１０２ｅが突出しており、フレキシブルプリント基板１２７に設けた穴部１２７ｃを貫通している。
【００４３】
図３（ａ）、（ｂ）に示すようにフレキシブルプリント基板１２７のパターン部１２７ａはズーム操作環１０６の回転により移動筒としてのメスヘリコイド環１０８と一体的に光軸方向に進退する。このときフレキシブルプリント基板１２７の屈曲部１２７ｄが屈曲（光軸方向に伸びた状態と屈曲して縮んだ状態）する。屈曲して縮んだ状態での屈曲剛性が高くなったフレキシブルプリント基板１２７は貼付面１０２ｄから剥がれようとする力が働く。ここで、図３、図４に示すように、フレキシブルプリント基板１２７の取付面１２７ｂが貼り付けられた固定筒１０２の貼付面１０２ｄには、穴１２７ｃ、１２７ｃが設けられており、穴１２７ｃ、１２７ｃには突起１０２ｅ、１０２ｅが係合されている。また、突起１０２ｅ、１０２ｅの間にはアーム部１２０ａが配置されている。ここで、突起１０２ｅの高さの寸法は、フレキシブルプリント基板１２７の取付面１２７ｂが貼り付けられた貼着面１０２ｄから、アーム部１２０ａの表面１２０ｂ（取付面１２７ｂの貼着された面と反対の面側に対向するアーム部１２０ａの表面１２０ｂ）までの距離より長く形成されている。これにより、フレキシブルプリント基板１２７の取付面１２７ｂが貼付面１０２ｄから剥がれたとしても、アーム部１２０ａが押え板として機能するため、穴１２７ｃが突起１０２ｅから抜けることなく、フレキシブルプリント基板１２７の浮き上がりを極力抑える事が可能となっている。
【００４４】
図５は、本発明の他の実施形態を示したものである。この実施形態でも、上述した略同様の構成が採られているが、浮き上がり防止アーム１２０ａによりフレキシブルプリント基板１２７を直接付勢しているため、フレキシブルプリント基板１２７の屈曲剛性がさらに低下してより浮き上がりを抑える事ができる。
【００４５】
なお、実施例では、ズームレンズ鏡筒に本発明を適用したものであるが、他の円筒部材にフレキシブルプリント基板が貼着されたものに適用してもよいし、単焦点レンズ鏡筒等に適用してもよい。
【００４６】
また、実施例では、フレキシブルプリント基板の固定筒への貼着についても粘着剤を塗布する等の方法を採ってもよい。
【００４７】
さらに、実施例は、一眼レフカメラ用交換レンズ鏡筒について説明したが、本発明は、ビデオカメラにも適用してもよい。
【図面の簡単な説明】
【００４８】
【図１】実施例を示すレンズ鏡筒および光学機器を示す断面図である。
【図２】実施例のレンズ鏡筒の分解斜視図である。
【図３】実施例のフレキシブルプリント基板を説明するための断面図である。
【図４】図３のＡ−Ａ断面図である。
【図５】他の実施例を説明するための断面図である。
【符号の説明】
【００４９】
１００  カメラ本体
１０２  固定筒
１０２ｅ  突起
１０８  メスヘリコイド環（移動筒）
１２０  フォーカスユニット（駆動ユニット本体）
１２０ａ  アーム部
１２０ｂ  アーム部の表面
１２７  フレキシブルプリント基板
１２７ａ  パターン部
１２７ｂ  取付面
１２７ｃ  穴
１２７ｄ  屈曲部
【図１】
2009042635.tif 000003
【図２】
2009042635.tif 000004
【図３】
2009042635.tif 000005
【図４】
2009042635.tif 000006
【図５】
2009042635.tif 000007